(57)【特許請求の範囲】
【請求項１】
洗い場を有する浴室内に配置される浴槽であって、
その内側底面に位置して平面視で略方形状のフラットな入浴部と、この入浴部の外縁から洗い場側に向かって突出するとともに入浴部から一段高い位置に形成される段差状のステップ部とを備え、
ステップ部の外観色は、入浴部の外観色と異なる色に形成し、
さらに、ステップ部は、滑り防止用のために表面から上方に向かって突出する滑り防止用突部を備え、
浴槽は、透明な透明基材と、その透明基材の下側に位置して外観色が有色からなる色ベース材とを備え、
ステップ部の滑り防止用突部は、透明基材及び色ベース材の間に、色ベース材と異なる外観色を有する突部用色部材を備えたことを特徴とする浴槽。
【請求項２】
洗い場を有する浴室内に配置される浴槽であって、
その内側底面に位置して平面視で略円形状のフラットな入浴部と、この入浴部の外縁から洗い場側に向かって突出するとともに入浴部から一段高い位置に形成される段差状のステップ部とを備え、
ステップ部の外観色は、入浴部の外観色と異なる色に形成し、
さらに、ステップ部は、滑り防止用のために表面から上方に向かって突出する滑り防止用突部を備え、
浴槽は、透明な透明基材と、その透明基材の下側に位置して外観色が有色からなる色ベース材とを備え、
ステップ部の滑り防止用突部は、透明基材及び色ベース材の間に、色ベース材と異なる外観色を有する突部用色部材を備えたことを特徴とする浴槽。
【請求項３】
突部用色部材は、外部からの光を反射する反射部材からなることを特徴とする請求項１または請求項２記載の浴槽。
【請求項４】
浴槽は、その入浴部の形状が略長方形状であって、その長辺側が洗い場に接するように形成され、
ステップ部を洗い場側から引っ込ませる方向に浴槽全体を回転させることにより、入浴部の長手方向の浴槽中心軸が、浴槽から洗い場に向かう方向に対して直交する直交ラインと傾斜するように配置されていることを特徴とする請求項１または請求項３記載の浴槽。
【請求項５】
浴槽の洗い場側外縁のステップ部対応部位には、ステップ部の外縁に沿った湾曲部を備えたことを特徴とする請求項４記載の浴槽。
【請求項６】
ステップ部は、その入浴部側の端縁に沿って、ステップ部の表面から、上方に向かって突条に突出する突条部を備えたことを特徴とする請求項１、請求項２、請求項３、請求項４または請求項５記載の浴槽。
【請求項７】
ステップ部は、突条部の両端にステップ部の表面に溜まった水を入浴部に流すために突条部を形成していない水抜き部を備えたことを特徴とする請求項６記載の浴槽。
【請求項８】
ステップ部は、その表面上の水を入浴部側に流すために入浴部側に向かって下り傾斜するように形成されていることを特徴とする請求項１、請求項２、請求項３、請求項４、請求項５、請求項６または請求項７記載の浴槽。
【請求項９】
ステップ部の浴槽外周は、入浴部の底面付近では浴室側へ突出せず、入浴部の底面から所定高さより上側で突出していることを特徴とする請求項１、請求項２、請求項３、請求項４、請求項５、請求項６、請求項７または請求項８記載の浴槽。
【発明の詳細な説明】
【０００１】
【発明の属する技術分野】
この発明は、浴槽の内部の底面に連設して段差が生じるように底面から一段高いステップを形成した浴槽に関するものである。
【０００２】
【先行技術】
図６は、従来の浴槽の概略模式図を示すものである
従来の浴槽110は、全体形状が略直方体状の上方に向かって開口する箱状であって、略長方形状の床面を有する浴室130内の奥側壁面140に沿って配置されていた。そして、浴槽110の内側底部には、開口する上面と略同一形状の底面150が形成され、その底面150の形状は、略長方形状であって、その長辺側が浴室130の奥側壁面140側に接するように配置されていた。そして、浴槽110の長手方向の中心軸は、浴室130の奥側の壁と平行に、且つ、左右の壁と直角になるように配置されていた。そして、浴室130の手前側には、身体を洗ったり、洗髪等を行うための洗い場120が形成されていた。
【０００３】
そして、浴槽110の内部の洗い場120側の底面150の一部に子どもや、高齢者が、浴槽110の内部への出入りを容易にするため、洗い場120の床面より一段高い、段差状のステップ部160を形成する場合があった。
【０００４】
【発明が解決しようとする課題】
しかし、上記した従来の浴槽110の内面は、全体形状が略直方体状であって、その直方体状の浴槽110の内部側に向かって、ステップ部160が突出するように形成されていた。このため、入浴する人が浴槽110の内部に入ると、浴槽110の内部に向かって突出するステップ部160が邪魔になる上に、浴槽110のスペースが狭くなるという第一の問題点があった。
【０００５】
さらに、浴槽110の内部に水が満たされると、上方から見て、ステップ部160と、ステップ部160を形成していない浴槽110の床面との境界が水面の反射や揺らぎにより、明瞭ではなく、その外縁を明確に判断することが難しかった。また、外縁が明瞭でないため、ステップ部160の存在に気がつかないおそれもあるという第二の問題点があった。
【０００６】
そこで、請求項１及び請求項２記載の発明は、上記した従来の技術の有する第一の問題点に鑑みてなされたものであり、その目的とするところは、ステップ部を形成して浴槽への出入りを容易にすることができる上に、浴槽の内部において、ステップ部が邪魔になることもなくて浴槽のスペースが狭くなることもなく、浴槽内部のスペースを充分に確保可能な浴槽を提供しようとするものである。
【０００７】
さらに、請求項１及び２記載の発明は、上記した従来の技術の有する第二の問題点に鑑みてなされたものであり、その目的とするところは、ステップ部の存在及びその外縁を明瞭に確認することができて、ステップ部に確実に足を降ろすことができ、浴槽内への移動を確実且つ容易にすることができる浴槽を提供しようとするものである。
【０００８】
そのため、請求項１及び２記載の発明は、ステップ部の表面において摩擦力を増加させて、確実に足でステップ部を踏みしめることができて、浴槽への移動を確実且つ容易にすることができる浴槽を提供しようとするものである。
これに加え、ステップ部の滑り防止用突部の外観色を周囲と異なるものにしたことにより、ステップ部の存在を明瞭に認識することができて、確実に浴槽への移動が可能な浴槽を提供しようとするものである。
【０００９】
これに加え、請求項３記載の発明は、反射部材からの反射光により、突部用色部材を際だって目立たせることができて、ステップ部の存在を明瞭に認識することができて、ステップ部を確実に足で踏み込むことができ、洗い場から浴槽への移動を確実に行うことができる浴槽を提供しようとするものである。
これに加え、請求項４記載の発明は、ステップ部により確実且つ容易に浴槽への移動をすることができる上に、浴槽の入浴部のスペースを充分に確保し、さらに、浴室の洗い場のスペースも充分に確保することができる浴槽を提供しようとするものである。
【００１０】
これに加え、請求項５記載の発明は、浴槽の洗い場側外縁のステップ部対応部位には、ステップ部の外縁に沿った湾曲部を備えた浴槽を提供しようとするものである。
これに加え、請求項６記載の発明は、ステップ部の端において、足が入浴部側に向かって滑り落ちることなく、ステップ部の端においても確実に足で踏みしめることができる浴槽を提供しようとするものである。
これに加え、請求項７記載の発明は、ステップ部の表面に水が溜まることなく、浴槽を衛生的に維持することができる上に清掃も容易にすることができる浴槽を提供しようとするものである。
【００１１】
これに加え、請求項８記載の発明は、ステップ部の表面の水はけを向上させることができて、浴槽を衛生的に維持することができ、清掃も容易な浴槽を提供しようとするものである。
これに加え、請求項９記載の発明は、ステップ部の浴槽外周は、入浴部の底面付近では浴室側へ突出せず、入浴部の底面から所定高さより上側で突出している浴槽を提供しようとするものである。
【００１２】
【課題を解決するための手段】
本発明は、上記した目的を達成するためのものである。
請求項１記載の発明は、洗い場(30)を有する浴室(20)内に配置される浴槽(10)であって、その内側底面に位置して平面視で略方形状のフラットな入浴部(40)と、この入浴部(40)の外縁から洗い場(30)側に向かって突出するとともに入浴部(40)から一段高い位置に形成される段差状のステップ部(50)とを備え、ステップ部(50)の外観色は、入浴部(40)の外観色と異なる色に形成し、さらに、ステップ部(50)は、滑り防止用のために表面から上方に向かって突出する滑り防止用突部(60)を備え、浴槽(10)は、透明な透明基材(11)と、その透明基材(11)の下側に位置して外観色が有色からなる色ベース材(12)とを備え、ステップ部(50)の滑り防止用突部(60)は、透明基材(11)及び色ベース材(12)の間に、色ベース材(12)と異なる外観色を有する突部用色部材(13)を備えたことを特徴とする。
【００１３】
本発明に係る浴槽(10)は、その内部の入浴部(40)から一段高い位置に段差状のステップ部(50)を備えている。このため、洗い場(30)から浴槽(10)の中に入る際、浴槽(10)の内部に差し込んだ片足を、浴槽(10)の床面の入浴部(40)よりも一段高い位置のステップ部(50)の上に置くことできる。これにより、差し込んだ片足を浴槽(10)の床面の入浴部(40)にまで、差し込む必要がなく、入浴部(40)とステップ部(50)とにより階段状になった部分を降りるようにして、浴槽(10)の内部に確実に移動することができる。もちろん、浴槽(10)から洗い場(30)側に向かって移動する際も同様である。
【００１４】
さらに、本発明に係る浴槽(10)は、ステップ部(50)が入浴部(40)の外縁から洗い場(30)側に向かって突出するように形成されている。このため、入浴部(40)は、略方形状のフラットな形状をステップ部(50)の影響を受けることなく、そのまま確保することができる。これにより、浴槽(10)の内部において、ステップ部(50)が邪魔になることもなくて浴槽(10)のスペースが狭くなることもなく、浴槽(10)の内部のスペースを充分に確保することができる。
【００１５】
また、本発明は、ステップ部(50)の外観色を入浴部(40)の外観色と異なる色に形成したことにより、水を張った浴槽(10)の上方から見ても、ステップ部(50)の存在を明確にすることができる上に、入浴部(40)とステップ部(50)との境界を明瞭に区別することができる。これにより、洗い場(30)から浴槽(10)の内部に移動する際、ステップ部(50)に確実に片足を降ろすことができ、浴槽(10)内への移動を確実且つ容易にすることができる。
本発明は、ステップ部(50)が、その表面から突出する滑り防止用突部(60)を備えているため、ステップ部(50)に置いた足の裏面と、ステップ部(50)との間の摩擦抵抗力を増加させることができる。これにより、確実に足の裏面でステップ部(50)を踏みしめることができて、浴槽(10)への移動を確実且つ容易にすることができる。
【００１６】
本発明は、ステップ部(50)の滑り防止用突部(60)の外観色が、色ベース材(12)と異なっている。このため、滑り防止用突部(60)の外観を周囲からひときわ目立たせることができて、ステップ部(50)の存在を明瞭に認識することができる。これにより、ステップ部(50)を確実に足で踏み込むことができ、洗い場(30)から浴槽(10)への移動を確実且つ容易に行うことができる。
【００１７】
請求項２記載の発明は、洗い場(30)を有する浴室(20)内に配置される浴槽(10)であって、その内側底面に位置して平面視で略円形状のフラットな入浴部(40)と、この入浴部(40)の外縁から洗い場(30)側に向かって突出するとともに入浴部(40)から一段高い位置に形成される段差状のステップ部(50)とを備え、ステップ部(50)の外観色は、入浴部(40)の外観色と異なる色に形成し、さらに、ステップ部(50)は、滑り防止用のために表面から上方に向かって突出する滑り防止用突部(60)を備え、浴槽(10)は、透明な透明基材(11)と、その透明基材(11)の下側に位置して外観色が有色からなる色ベース材(12)とを備え、ステップ部(50)の滑り防止用突部(60)は、透明基材(11)及び色ベース材(12)の間に、色ベース材(12)と異なる外観色を有する突部用色部材(13)を備えたことを特徴とする。
【００１８】
本発明に係る浴槽(10)は、請求項１記載の発明と同様に、その内部の入浴部(40)から一段高い位置に段差状のステップ部(50)を備えたため、浴槽(10)と洗い場(30)との間の移動を確実に行うことができる。
さらに、本発明に係る浴槽(10)は、請求項１記載の発明と同様に、ステップ部(50)が入浴部(40)の外縁から洗い場(30)側に向かって突出するように形成されている。このため、入浴部(40)は、略円形状のフラットな形状をステップ部(50)の存在の影響を受けることなく、確保することができる。これにより、浴槽(10)の内部において、ステップ部(50)が邪魔になることもなくて浴槽(10)のスペースが狭くなることもなく、浴槽(10)の内部のスペースを充分に確保することができる。
【００１９】
また、本発明は、ステップ部(50)の外観色を入浴部(40)の外観色と異なる色に形成したことにより、水を張った浴槽(10)の上方から見ても、ステップ部(50)の存在を明確にすることができる上に、入浴部(40)とステップ部(50)との境界を明瞭に区別することができる。これにより、洗い場(30)から浴槽(10)の内部に移動する際、ステップ部(50)に確実に片足を降ろすことができ、浴槽(10)内への移動を確実且つ容易にすることができる。
【００２０】
本発明は、ステップ部(50)が、その表面から突出する滑り防止用突部(60)を備えているため、ステップ部(50)に置いた足の裏面と、ステップ部(50)との間の摩擦抵抗力を増加させることができる。これにより、確実に足の裏面でステップ部(50)を踏みしめることができて、浴槽(10)への移動を確実且つ容易にすることができる。
本発明は、ステップ部(50)の滑り防止用突部(60)の外観色が、色ベース材(12)と異なっている。このため、滑り防止用突部(60)の外観を周囲からひときわ目立たせることができて、ステップ部(50)の存在を明瞭に認識することができる。これにより、ステップ部(50)を確実に足で踏み込むことができ、洗い場(30)から浴槽(10)への移動を確実且つ容易に行うことができる。
【００２１】
請求項３記載の発明は、上記した請求項１または請求項２記載の特徴点に加え、突部用色部材(13)は、外部からの光を反射する反射部材(14)からなることを特徴とする。
なお、ここで、「反射部材(14)」とは、外部からの光を反射するようなものを含んでいるようなものであれば良いものであって、例えば、雲母や、鏡や、パールや、アルミ箔等の小片を多数、含んでいるようなものを含むものである。
【００２２】
本発明は、ステップ部(50)の突部用色部材(13)に外部からの光を反射する反射部材(14)を使用している。このため、浴室(20)内の照明ランプ等の外部からの光が反射部材(14)に反射して、その反射光により、突部用色部材(13)を際だって目立たせることができる。これにより、ステップ部(50)の存在をさらに明瞭に認識することができ、確実にステップ部(50)を足で踏み込むことができ、洗い場(30)から浴槽(10)への移動を確実に行うことができる。
【００２３】
請求項４記載の発明は、上記した請求項１または請求項３記載の特徴点に加え、浴槽(10)は、その入浴部(40)の形状が略長方形状であって、その長辺側が洗い場(30)に接するように形成され、ステップ部(50)を洗い場(30)側から引っ込ませる方向に浴槽(10)全体を回転させることにより、入浴部(40)の長手方向の浴槽中心軸(15)が、浴槽(10)から洗い場(30)に向かう方向に対して直交する直交ライン(16)と傾斜するように配置されていることを特徴とする。
【００２４】
本発明は、ステップ部(50)を洗い場(30)側から引っ込ませる方向に浴槽(10)全体を回転させることにより、入浴部(40)の長手方向の浴槽中心軸(15)が、浴槽(10)から洗い場(30)側に向かう方向に対して直交する直交ライン(16)と傾斜するように配置されている。このため、入浴部(40)から洗い場(30)側に向かって突出するステップ部(50)を洗い場(30)側から浴槽(10)側に向かって引っ込ませるように配置することができる。これにより、浴槽(10)の入浴部(40)の略長方形状の形状は、維持することができて、浴槽(10)の入浴部(40)のスペースは充分に確保することができる。そして、洗い場(30)側からステップ部(50)を引っ込ませることができて、浴室(20)の洗い場(30)のスペースも充分に確保することができる。
【００２５】
請求項５記載の発明は、上記した請求項４記載の特徴点に加え、図１、図２及び図５から明らかなように、浴槽(10)の洗い場(30)側外縁のステップ部(50)対応部位には、ステップ部(50)の外縁に沿った湾曲部を備えたことを特徴とする。
請求項６記載の発明は、上記した請求項１、請求項２、請求項３、請求項４または請求項５記載の特徴点に加え、ステップ部(50)は、その入浴部(40)側の端縁に沿って、ステップ部(50)の表面から、上方に向かって突条に突出する突条部(51)を備えたことを特徴とする。
本発明は、ステップ部(50)の端縁に上方に向かって突出する突条部(51)が形成されている。これにより、ステップ部(50)の上に足を置いて、踏み込んだ際、ステップ部(50)の端縁の突条部(51)が足の裏面に食い込み、両者の摩擦抵抗を大きなものにすることができる。これにより、足がステップ部(50)の端縁から入浴部(40)側に向かって滑ることを抑えることができ、ステップ部(50)の端縁においても確実に足で踏みしめることができる。
【００２６】
請求項７記載の発明は、上記した請求項６記載の特徴点に加え、ステップ部(50)は、突条部(51)の両端にステップ部(50)の表面に溜まった水を入浴部(40)に流すために突条部(51)を形成していない水抜き部(52)を備えたことを特徴とする。
本発明は、ステップ部(50)が、突条部(51)の両端にステップ部(50)の表面に溜まった水を入浴部(40)に流すための突条部(51)を形成していない水抜き部(52)を備えている。このため、浴槽(10)から水を抜く際、ステップ部(50)の表面に溜まった水は、水抜き部(52)から入浴部(40)に向かって流れ落ちる。これにより、ステップ部(50)の表面に水が溜まることがなく、浴室(20)を衛生的に維持することができる。そして、ステップ部(50)の表面に水が溜まらないため、浴槽(10)の清掃も容易にすることができる。
【００２７】
請求項８記載の発明は、上記した請求項１、請求項２、請求項３、請求項４、請求項５、請求項６または請求項７記載の特徴点に加え、ステップ部(50)は、その表面上の水を入浴部(40)側に流すために入浴部(40)側に向かって下り傾斜するように形成されていることを特徴とする。
本発明は、ステップ部(50)の表面が入浴部(40)側に向かって下り傾斜するように形成されている。このため、浴槽(10)から水を抜く際、ステップ部(50)の表面上の水をスムーズに入浴部(40)に向かって流すことができて、ステップ部(50)の表面の水はけを向上させることができる。これにより、水が溜まることがなく、浴槽(10)内のカビ等の発生を抑え、浴槽(10)内を衛生的に維持することができ、清掃も容易にすることができる。
請求項９記載の発明は、図２から明らかなように、上記した請求項１、請求項２、請求項３、請求項４、請求項５、請求項６、請求項７または請求項８記載の特徴点に加え、ステップ部(50)の浴槽(10)外周は、入浴部(40)の底面付近では浴室(20)側へ突出せず、入浴部(40)の底面から所定高さより上側で突出していることを特徴とする。
【００２８】
【発明の実施の形態】
以下、本発明の実施の形態を図面に基づいて、更に詳しく説明する。
図１乃至図４は、本発明の実施の形態を示すものであり、図１は浴室の平面図、図２は浴室の斜視図、図３はステップ部の拡大断面図、図４はステップ部の外観斜視図をそれぞれ示すものである。
【００２９】
まず、本実施の形態の構成について説明する。
本実施の形態に係る浴槽10は、洗い場30を有する浴室20内に配置されるものであって、内部に湯を満たして入浴するためのものである。この浴槽10は、その内側底面に位置して平面視で略長方形状のフラットな入浴部40と、この入浴部40の外縁から洗い場30側に向かって突出するとともに入浴部40から一段高い位置に形成される段差状のステップ部50とを備えている。
【００３０】
前記ステップ部50の外観色は、入浴部40の外観色と異なる色に形成されている。そして、そのステップ部50は、滑り防止用のために表面から上方に向かって突出する略半球状の滑り防止用突部60を備えている。
そして、浴槽10は、アクリル樹脂からなる透明な透明基材11と、その透明基材11の下側に位置して外観色が有色からなる色ベース材12とを備えている。具体的には、この色ベース材12は、透明基材11の下方から有色の塗料を吹き付けにより形成したものである。もちろん、色ベース材12は、その外観色が有色からなるものであれば、他のものを透明基材11の下面に貼着するようにして形成しても良いものである。そして、ステップ部50の滑り防止用突部60は、透明基材11及び色ベース材12の間に、色ベース材12と異なる外観色を有する突部用色部材13を備えている。さらに、この突部用色部材13は、外部からの光を反射する反射部材14から形成されている。この反射部材14は、具体的には、雲母の小片を多数、含んでいるものである。もちろん、反射部材14の材質は、外部からの光を反射することができるようなものであれば良いものであって、雲母に特定されるものではなく、例えば、アルミ箔や、鏡や、パール等の小片を多数含んでいるようなものでも良いものである。また、このステップ部50は、図１、図２及び図５に示すように、浴槽10の洗い場30側外縁のステップ部50対応部位には、ステップ部50の外縁に沿った湾曲部を備えている。さらに、このステップ部50は、図２に示すように、ステップ部50の浴槽10外周は、入浴部40の底面付近では浴室20側へ突出せず、入浴部40の底面から所定高さより上側で突出している。
【００３１】
前記ステップ部50は、図３及び図４に示すように、その入浴部40側の端縁に沿って、ステップ部50の表面から、上方に向かって突条に突出する突条部51を備えている。そして、この突条部51によりせき止められてステップ部50の表面に溜まった水を入浴部40に流すために、突条部51の両端側のステップ部50の端縁には、突条部51を形成していない水抜き部52を形成している。さらに、ステップ部50は、その表面上の水を入浴部40側に流すために入浴部40側に向かって下り傾斜するように形成されている。
【００３２】
なお、本実施の形態において、浴室20に対する浴槽10の配置状態は、浴槽10の入浴部40の長手方向の中心軸となる浴槽中心軸15が、浴槽10から洗い場30側に向かう方向に対して直交する直交ライン16と平行になるように設定されている。すなわち、略長方形状の浴室20の奥側の壁面に対して、浴槽10の入浴部40の浴槽中心軸15が平行となるように配置されている。
【００３３】
次に、上記した実施の形態の作用及び効果について説明する。
本実施の形態に係る浴槽10は、その内部の入浴部40から一段高い位置に段差状のステップ部50を備えている。このため、洗い場30から浴槽10の中に入る際、浴槽10の内部に差し込んだ片足を、浴槽10の床面の入浴部40よりも一段高い位置のステップ部50の上に置くことできる。これにより、差し込んだ片足を浴槽10の床面の入浴部40にまで、差し込む必要がなく、入浴部40とステップ部50とにより階段状になった部分を降りるようにして、浴槽10の内部に確実に移動することができる。もちろん、浴槽10から洗い場30側に向かって移動する際も同様である。
【００３４】
さらに、この浴槽10は、ステップ部50が入浴部40の外縁から洗い場30側に向かって突出するように形成されている。このため、入浴部40は、略方形状のフラットな形状をステップ部50の存在の影響を受けることなく、そのまま確保することができる。これにより、浴槽10の内部において、ステップ部50が邪魔になることもなくて浴槽10のスペースが狭くなることもなく、浴槽10の内部のスペースを充分に確保することができる。
【００３５】
そして、本実施の形態において、ステップ部50の外観色を入浴部40の外観色と異なる色に形成したことにより、水を張った浴槽10の上方から見ても、ステップ部50の存在を明確にすることができる上に、入浴部40とステップ部50との境界を明瞭に区別することができる。これにより、洗い場30から浴槽10の内部に移動する際、ステップ部50に確実に片足を降ろすことができ、浴槽10内への移動を確実且つ容易にすることができる。
【００３６】
そして、ステップ部50が、その表面から突出する滑り防止用突部60を備えているため、ステップ部50に置いた足の裏面と、ステップ部50との間の摩擦抵抗力を増加させることができる。これにより、確実に足の裏面でステップ部50を踏みしめることができて、浴槽10への移動を確実且つ容易にすることができる。また、ステップ部50の滑り防止用突部60の外観色が、色ベース材12と異なっているため、滑り防止用突部60の外観を周囲からひときわ目立たせることができて、ステップ部50の存在を明瞭に認識することができる。これにより、ステップ部50を確実に足で踏み込むことができ、洗い場30から浴槽10への移動を確実且つ容易に行うことができる。
【００３７】
さらに、ステップ部50の突部用色部材13に雲母の小片を多数含んで外部からの光を反射する反射部材14を使用している。このため、浴室20内の照明ランプ等の外部からの光が反射部材14に反射して、その反射光により、突部用色部材13を際だって目立たせることができる。これにより、ステップ部50の存在をさらに明瞭に認識することができ、確実にステップ部50を足で踏み込むことができ、洗い場30から浴槽10への移動を確実に行うことができる。
【００３８】
そして、本実施の形態において、ステップ部50の端縁に上方に向かって突出する突条部51が形成されている。これにより、ステップ部50の上に足を置いて、踏み込んだ際、ステップ部50の端縁の突条部51が足の裏面に食い込み、両者の摩擦抵抗を大きなものにすることができる。これにより、足がステップ部50の端縁から入浴部40側に向かって滑ることを抑えることができ、ステップ部50の端縁においても確実に足で踏みしめることができる。
【００３９】
そして、ステップ部50は、突条部51の両端にステップ部50の表面に溜まった水を入浴部40に流すための突条部51を形成していない水抜き部52を備えている。このため、浴槽10から水を抜く際、ステップ部50の表面に溜まった水を、水抜き部52から入浴部40に向かって流れ落とすことができる。これにより、ステップ部50の表面に水が溜まることがなく、浴室20を衛生的に維持することができ、ステップ部50の表面に水が溜まらないため、浴槽10の清掃も容易にすることができる。
【００４０】
また、本実施の形態において、ステップ部50の表面が入浴部40側に向かって下り傾斜するように形成されている。このため、浴槽10から水を抜く際、ステップ部50の表面上の水をスムーズに入浴部40に向かって流すことができて、ステップ部50の表面の水はけを向上させることができる。これにより、ステップ部50の表面に水が溜まることを抑えることができて、浴槽10内のカビ等の発生を抑え、浴槽10内を衛生的に維持することができ、清掃も容易にすることができる。
【００４１】
なお、本実施の形態において、浴槽10の全体形状は、平面視で略長方形状であって、その床面となる入浴部40の形状も、平面視で略長方形状に形成されていたが、浴槽10の入浴部40の全体形状は、特に、これに限定されるものではなく、平面視で略円形状のものでも良いものである。すなわち、円形状の入浴部40の洗い場30側の端縁から洗い場30側に向かって突出するとともに入浴部40から一段高い位置に段差状のステップ部50を形成したようなものでも良いものである。
【００４２】
さらに、この浴槽10の入浴部40の平面視における形状は、他の形状でも良いものであって、例えば、他の三角形状や五角形状等の多角形状、楕円状等でも良いものである。
次に、第二の実施の形態について説明する。
図５は、本発明の第二の実施の形態であって、浴室の平面図を示すものである。
【００４３】
本実施の形態は、第一の実施の形態と同様なステップ部50を形成しているが、浴槽10の配置に特徴を有しているものである。具体的には、浴槽10の入浴部40の形状が略長方形状であって、その長辺側が洗い場30に接するように形成され、第一の実施の形態の浴槽10の配置状態から、ステップ部50を洗い場30側から引っ込ませる方向に浴槽10全体を回転させたように配置しているものである。これにより、浴槽10の入浴部40の長手方向の浴槽中心軸15が、浴槽10から洗い場30に向かう方向に対して直交する直交ライン16と傾斜するように配置されている。その他の構成は、第一の実施の形態と略同様であって、同様の部品には、同一の部品番号を付与して説明を省略する。
【００４４】
次に、本実施の形態における作用及び効果について説明する。
本実施の形態は、ステップ部50を洗い場30側から引っ込ませる方向に浴槽10全体を回転させることにより、入浴部40の長手方向の浴槽中心軸15が、浴槽10から洗い場30側に向かう方向に対して直交する直交ライン16と傾斜するように配置されている。このため、入浴部40から洗い場30側に向かって突出するステップ部50を洗い場30側から浴槽10側に向かって引っ込ませるように配置することができる。これにより、浴槽10の入浴部40の略長方形状の形状は、維持することができて、浴槽10の入浴部40のスペースは充分に確保することができる上に、洗い場30側からステップ部50を引っ込ませることができて、浴室20の洗い場30のスペースも充分に確保することができる。
【００４５】
【発明の効果】
本発明は、以上のように構成されているので、以下に記載されるような効果を奏する。
請求項１及び請求項２記載の発明によれば、ステップ部を形成して浴槽への出入りを容易にすることができる上に、浴槽の内部において、ステップ部が邪魔になることもなくて浴槽のスペースが狭くなることもなく、浴槽内部のスペースを充分に確保可能な浴槽を提供することができる。
【００４６】
またこれらの発明によれば、ステップ部の存在及びその外縁を明瞭に確認することができて、ステップ部に確実に足を降ろすことができ、浴槽内への移動を確実且つ容易にすることができる浴槽を提供することができる。
さらに、ステップ部の表面において摩擦力を増加させて、確実に足でステップ部を踏みしめることができて、浴槽への移動を確実且つ容易にすることができる浴槽を提供することができる。
【００４７】
また、ステップ部の滑り防止用突部の外観色を周囲と異なるものにしたことにより、ステップ部の存在を明瞭に認識することができて、確実に浴槽への移動が可能な浴槽を提供することができる。
請求項３記載の発明によれば、反射部材からの反射光により、突部用色部材を際だって目立たせることができて、ステップ部の存在を明瞭に認識することができて、ステップ部を確実に足で踏み込むことができ、洗い場から浴槽への移動を確実に行うことができる浴槽を提供することができる。
【００４８】
請求項４記載の発明によれば、ステップ部により確実且つ容易に浴槽への移動をすることができる上に、浴槽の入浴部のスペースを充分に確保し、さらに、浴室の洗い場のスペースも充分に確保することができる浴槽を提供することができる。
また、請求項５記載の発明は、浴槽の洗い場側外縁のステップ部対応部位には、ステップ部の外縁に沿った湾曲部を備えた浴槽を提供することができる。
請求項６記載の発明によれば、ステップ部の端において、足が入浴部側に向かって滑り落ちることなく、ステップ部の端においても確実に足で踏みしめることができる浴槽を提供することができる。
【００４９】
請求項７記載の発明によれば、ステップ部の表面に水が溜まることなく、浴槽を衛生的に維持することができる上に清掃も容易にすることができる浴槽を提供することができる。
請求項８記載の発明によれば、ステップ部の表面の水はけを向上させることができて、浴槽を衛生的に維持することができ、清掃も容易な浴槽を提供することができる。
これに加え、請求項９記載の発明は、ステップ部の浴槽外周は、入浴部の底面付近では浴室側へ突出せず、入浴部の底面から所定高さより上側で突出している浴槽を提供することができる。
【図面の簡単な説明】
【図１】  本発明の第一の実施の形態を示すものであって、浴室を示す平面図である。
【図２】  本発明の第一の実施の形態を示すものであって、浴室を示す斜視図である。
【図３】  本発明の第一の実施の形態を示すものであって、ステップ部を示す拡大断面図である。
【図４】  本発明の第一の実施の形態を示すものであって、ステップ部を示す外観斜視図である。
【図５】  本発明の第二の実施の形態を示すものであって、浴室を示す平面図である。
【図６】  従来の浴槽を示す概略模式図である。
【符号の説明】
10  浴槽                          11  透明基材
12  色ベース材                    13  突部用色部材
14  反射部材                      15  浴槽中心軸
16  直交ライン                    20  浴室
30  洗い場                        40  入浴部
50  ステップ部                    51  突条部
52  水抜き部                      60  滑り防止用突部
110  浴槽                        120  洗い場
130  浴室                        140  奥側壁面
150  底面
【図１】
0003681256.tif 000002
【図２】
0003681256.tif 000003
【図３】
0003681256.tif 000004
【図４】
0003681256.tif 000005
【図５】
0003681256.tif 000006
【図６】
0003681256.tif 000007